(57)【要約】      （修正有）【課題】  南京錠を一括して保管することにより、南京錠が使用されている現場の作業状況を確実に把握し、作業の安全を確実に確保する南京錠を使用した安全装置等に、作業者以外の者が触れるのを確実に防止し、又、南京錠、南京錠の鍵、南京錠保管箱の鍵によって３重の安全性を確保する南京錠保管箱の提供。【解決手段】  少なくとも一部を透明となし内部を視認可能とした扉を箱体２の前面開口部に開閉自在で施解錠可能に設けると共に、箱体の巾方向に所定間隔を有して複数個の南京錠施錠孔５１が形成された南京錠施錠部５を箱体内部に設け符号１は本発明の南京錠保管箱を示し、符号７は南京錠を示し、符号７３は、南京錠７を使用する作業者の氏名、その南京錠７が使用される安全装置の記号・番号等を表示したカードを示している。【選択図】  図３
2006274536.tif 000002
【特許請求の範囲】
【請求項１】
少なくとも一部を透明となし内部を視認可能とした扉を箱体の前面開口部に開閉自在で解施錠可能に設けると共に、箱体の巾方向に所定間隔を有して複数個の南京錠施錠孔が形成された南京錠施錠部材を箱体内部に着脱自在に設けたことを特徴とする南京錠保管箱。
【請求項２】
南京錠施錠部材は、南京錠施錠孔が形成され、扉方向に突出する施錠用突片と、施錠用突片の後端で下方に突出し、着脱自在に箱体と連結される連結用突片より構成されている事を特徴とする請求項１に記載の南京錠保管箱。
【発明の詳細な説明】
【技術分野】
【０００１】
本発明は、南京錠を施錠状態で一括保管、管理するための南京錠保管箱に関するものである。
【背景技術】
【０００２】
従来、南京錠を施錠状態で、保管箱で一括して保管・管理する保管箱はなく、一般的には南京錠あるいは保管庫等のシリンダー錠に対応する鍵を、それぞれ所定の複数個のフックにぶら下げて収納するキーボックスが一般的であった。（例えば、特許文献１参照。）
【０００３】
しかしながら、各錠は、施錠状態であっても開錠状態のどちらでも、鍵を抜き取れるものが一般的であるため、鍵がキーボックスに保管されているか否かで、各錠が施錠されているのかどうかを確実に把握することが出来なかった。
【０００４】
【特許文献１】特開平２０００−２１９３０６号公報（図２（ｂ）（ｃ））
【発明の開示】
【発明が解決しようとする課題】
【０００５】
本発明は、特に南京錠を一括して保管することにより、南京錠が使用されている現場の作業状況を確実に把握することが出来、さらに、作業の安全を確実に確保する南京錠を使用した安全装置等に、作業者以外の者が触れるのを確実に防止する事ができ、又、南京錠、南京錠の鍵、南京錠保管箱の鍵によって３重の安全性を確保する南京錠保管箱を提供することを課題とする。
【課題を解決するための手段】
【０００６】
そこで、上記課題を解決する為、本発明が第１の手段として構成したところは、少なくとも一部を透明となし内部を視認可能とした扉を箱体の前面開口部に開閉自在で解施錠可能に設けると共に、箱体の巾方向に所定間隔を有して複数個の南京錠施錠孔が形成された南京錠施錠部材を箱体内部に着脱自在に設けたものである。
【０００７】
次に、本発明が第２の手段として構成したところは、第１の手段に加え、南京錠施錠部材は、南京錠施錠孔が形成され、扉方向に突出する施錠用突片と、施錠用突片の後端で下方に突出し、着脱自在に箱体と連結される連結用突片より形成されているものである。
【発明の効果】
【０００８】
請求項１に記載の発明によると、内部が視認可能なように少なくとも扉の一部を透明に構成しているので、南京錠の保管状態が扉を解錠しなくとも確認可能であり、南京錠が保管されているかいないかで各現場の作業等が終了しているのかどうかの確認が出来る。
また、南京錠施錠部材に南京錠施錠孔が形成されているので、南京錠は施錠状態で保管されることとなり、したがって、南京錠保管箱の扉の鍵があっても、南京錠の鍵がなければ、南京錠を持ち出すことが出来ず、又、南京錠の鍵があっても、南京錠保管箱の扉の鍵がなければ南京錠を持ち出すことができないので、２重、３重の管理が出来る。
さらに、前記南京錠施錠孔は箱体の巾方向に所定間隔を有して形成されているので、複数の南京錠を小さなスペースで保管可能である。
さらに、南京錠施錠部材を箱体内部に着脱自在に設けているので、南京錠の数に一致する数の南京錠施錠孔を有する南京錠施錠部材を選択することにより、職場の設備状況（安全装置の増加、減少）の変化に迅速に対応することが出来る。
そして、常に、南京錠の数と南京錠施錠孔の数を一致させておくことで、一目で、作業終了状況あるいは作業開始状況（施錠されている南京錠の数によって、作業をしていない設備あるいは職場等）の確認が容易にできる。
【０００９】
請求項２に記載の発明によると、前記効果に加え、南京錠施錠部材は、施錠用突片と連結用突片より構成されているので、南京錠施錠部材の着脱作業が容易である。
【発明を実施するための最良の形態】
【００１０】
本発明は、少なくとも一部を透明となし内部を視認可能とした扉を箱体の前面開口部に開閉自在で施解錠可能に設けると共に、箱体の巾方向に所定間隔を有して複数個の南京錠施錠孔が形成された南京錠施錠部を箱体内部に設け、南京錠施錠部は、南京錠施錠孔が形成され、扉方向に突出する施錠用突片と、施錠用突片の後端で下方に突出し、着脱自在に箱体と連結される連結用突片より形成されているものである。
【実施例１】
【００１１】
以下、添付図面に基づいて実施例を詳述する。
図３において、符号１は本発明の南京錠保管箱を示し、符号７は南京錠を示し、符号７３は、南京錠７を使用する作業者の氏名、その南京錠７が使用される安全装置の記号・番号等を表示したカードを示している。
南京錠保管箱１は、前面が開口する箱体２と、箱体２の前面開口部２１に蝶番３１、３１を介して開閉自在で施解錠可能に設けられ扉３より構成されている。
箱体２は、左右側板２２、２３と、左右側板２２、２３の上下端部間に配設された上下板２４、２５と、左右側板２２、２３、上下板２４、２５の後端部間に配設された背板２６よりなり、背板２６の巾方向全幅で、上下に所定間隔を有して南京錠施錠部材５の連結座６、６が設けられている。
【００１２】
連結座６は、背板２６と所定間隔を有して前方に位置する基板６１と、基板６１の上下端部を背板２６側に横向きＬ字形に折り曲げて形成され、スポット溶接等によって背板２６と連結された上下連結片６２、６３より構成され、基板６１の巾方向には、所定間隔を有して設けられた抜き穴の裏面側にナット６５・・・を溶接等にて取付けることにより、南京錠施錠部材５の連結用螺孔部６４・・・が複数個形成されている。
【００１３】
南京錠施錠部材５は、前後方向に長孔とした南京錠施錠孔５１・・・が形成され、扉３方向に突出する施錠用突片５２と、施錠用突片５２の後端で下方に突出し、前記連結座６の連結用螺孔６４・・・に対応する連結孔を有する連結用突片５３より構成されている。
すなわち、南京錠施錠部材５は、連結座６に連結ネジ５０にて着脱自在に取付けられているので、一つの南京錠保管箱１で管理する南京錠７・・・の数（安全装置の数）に一致する南京錠施錠孔５１・・・を有する南京錠施錠部材５を選択して取付けることにより、一目で、作業終了状況あるいは作業開始状況（施錠された南京錠７によって、作業していない職場あるいは設備等があるかどうか、すなわち、安全装置が稼働しているかどうか）の確認が容易にできる。
【００１４】
また、職場の設備状況（安全装置の増減等）の変化によって、一つの南京錠保管箱１で管理する設備あるいは職場の数の変化に対応して、上記のように南京錠施錠部材５を取り替えるだけで、南京錠保管箱１を取り替えるまでもなく迅速に対応することが出来る。
【００１５】
符号８・・・は、南京錠施錠孔５１・・・に対応して背板２６に両面テープ等で貼り付けられた、南京錠７・・・が使用されている職場名あるいは設備名を表示する名札を示しており、その個所に南京錠７が施錠されておれば、安全装置が稼働していない（作業が終了した、あるいは作業が開始されていない）職場名あるいは設備名を表示することとなる。
【００１６】
扉３は、扉３を閉鎖した状態でも、南京錠施錠部材５の南京錠施錠孔５１・・・に施錠した状態で保管されている南京錠７・・・も、施錠されていない南京錠施錠孔５１もすべて視認できる大きさの透明体３２を中央部に有し、扉３が閉鎖された状態で、錠前３４の施錠操作によって、箱体２のラッチ孔２８、２８に係止するラッチ爪３５、３５が回動不能となり、扉３は施錠状態となる。
そして、扉３の錠前３４の鍵は、南京錠７・・・の鍵を保管している設備の作業者とは別の管理者によって保管・管理される。
符号３３は、扉３の開閉用の把手部を示している。
【００１７】
作業者は、作業開始時に、南京錠保管箱１から南京錠７を持ち出し、設備の安全装置を稼働させた後、南京錠で安全装置を施錠状態とし、作業者以外の者が安全装置に触れるのを確実に防止した状態で設備を使用する。
尚、南京錠７を持ち出すためには、南京錠保管箱１の扉３の錠前３４の鍵は管理者によって保管・管理されているので、管理者から錠前３４の鍵を借りる必要がある。
【００１８】
作業者は、作業等の終了時には、南京錠７を安全装置から取り外し、安全装置を解除し、南京錠保管箱１の南京錠施錠孔５１に施錠状態で保管する。
そして、作業者は南京錠７の鍵を保管する。
【００１９】
すなわち、安全装置を稼働させた後、安全装置を施錠している南京錠７は、作業者以外の者が開錠することができないため、作業中あるいは点検修理中に作業者以外の者に安全装置が解除される恐れがなく、非常に安全である。
【００２０】
南京錠７が南京錠保管箱１にあるときは、その南京錠７の鍵を管理している作業者が作業していないことを示す。そのため、管理者は、南京錠７のカード７３により、作業者が作業していないこと、あるいは、設備（安全装置）が稼動していないことを把握することができる。
【図面の簡単な説明】
【００２１】
【図１】本発明の正面図
【図２】本発明の扉を開いた状態の正面図
【図３】本発明の扉を開いた状態の斜視図
【図４】図１のＡ―Ａ線拡大断面図
【図５】図１のＢ―Ｂ線拡大断面図
【図６】図５のＣ部拡大図
【符号の説明】
【００２２】
１        南京錠保管庫
２        箱体
３        扉
５        南京錠施錠部材
５１      南京錠施錠孔
５２      施錠用突片
５３      連結用突片
【図１】
2006274536.tif 000003
【図２】
2006274536.tif 000004
【図３】
2006274536.tif 000005
【図４】
2006274536.tif 000006
【図５】
2006274536.tif 000007
【図６】
2006274536.tif 000008